(57)【要約】【課題】多数並ぶ類似したデザインや色の靴の中から特定の靴を容易に識別するすることができる靴べらを提供する。【解決手段】Ｌ字形を成す薄板状体の片袖を靴べら様に形成した靴べら部と他袖をコの字形に形成したクリップ部とから成る本体に小孔を設け、該孔に飾り具を装着する。コの字形のクリップ部の上部には名前を記載または貼付するスペースを有することを特徴とする靴べらである。【選択図】図１
2013070990.tif 000002
【特許請求の範囲】
【請求項１】
Ｌ字形を成す薄板状体の片袖を靴べら様に形成した靴べら部と他袖をコの字形に形成したクリップ部とから成る本体に小孔を設け、該孔に飾り具を装着したことを特徴とする靴識別機能付き靴べら。
【請求項２】
靴べら部とクリップ部が異なる素材で成ることを特徴とする請求項１記載の靴識別機能付き靴べら。
【発明の詳細な説明】
【技術分野】
【０００１】  本発明は、多数の靴の中から特定の靴を識別することができる靴べらに関する。
【背景技術】
【０００２】  一般的に男性用の黒色のビジネスシューズはデザイン的に大差がなく、他人の靴との見分けが困難な場合が往々にしてある。例えば、玄関で靴を脱ぎ個人宅を会場にして行なう通夜や葬儀、座敷形式の飲食店での会食などでは、終わって家や店を出るときに同じような色・形の靴の中から自分の靴を探すのに苦労する。ましてやアルコールが入ると注意力が散漫となり、自分の靴が間違えて履かれたり、逆に他人の靴を間違えて履いたりという事態が起こっても不思議ではない。【０００３】  こうしたトラブルを防止するために、一部の飲食店や温泉浴場などでは一人一人に番号札を渡して履物の管理を行なっているところもあるが、すべての施設にこうした管理を期待することは諸般の事情からして無理である。とすれば、目印となる物がある場所に靴を脱ぐとか、靴の中に布切れなどの目印となるものを入れておくとか、少々恰好は悪くても洗濯ばさみなどで靴を挟んでまとめておくなどの自衛手段を講ずるくらいがせいぜい対策できるところである。
【先行技術文献】
【０００４】
【特許文献１】実開平１−６１１７４号公報
【特許文献２】実開平７−２９５７３号公報
【０００５】  特許文献１の「靴べら」、特許文献２の「靴の識別表示具」ともに靴べらとしての機能を有し、いずれも靴の履き口や甲部に挟んで使用し、本体に設けた名前表示部に記載した自分の名前により靴の特定を行なうものである。しかし、両者ともこれらの靴べら（表示具）を使用する人が少ない場合には一定の効果を発揮するが、例えば多数の靴利用者がこの靴べら（表示具）を利用するに至った場合には、多数の中から自分の名前を記したものを探し出さなければならない。また高さに余裕のない下駄箱に靴を入れる場合には、靴の上に靴べらを立てることができず識別効果が低下すると思われる。
【発明の概要】
【発明が解決しようとする課題】
【０００６】  上述したような現状を考慮すれば、多数の靴の中から特定の靴を容易に識別できる方法があれば世間から歓迎されるところであろう。そこで本願発明では上記特許文献でも述べられている靴べらにさらに工夫を施し、靴を識別するより優れた特長を備えた靴べらを案出すべく模索した。
【課題を解決するための手段】
【０００７】  上記の課題を解決するために請求項１に記載のアイデアは、Ｌ字形を成す薄板状体の片袖を靴べら様に形成した靴べら部と他袖をコの字形に形成したクリップ部とから成る本体に小孔を設け、該孔に飾り具を装着したことを特徴とする靴識別機能付き靴べらである。【０００８】  本靴べらに期待される機能とは、靴べら本来の役割に加えて、靴への装着により多数の靴の中から特定の靴を確実に識別できる目印を提供することである。具体的に述べれば、靴を特定することができる三要素を有し、それらの相互作用により靴の識別・特定を行なうものである。その第一の要素は「靴べら自体の色」であり、第二は「靴べらに装着する飾り具」であり、第三は「靴べらに付ける名前」である。【０００９】  まず「靴べら自体の色」であるが、塗装またはシート貼付による着色でも、素材自体が含有する色素による発色でも構わない。次に「靴べらに装着する飾り具」であるが、飾り具は色紐やリボンテープ、造花、鈴、小玉、ビーズなど目立つものなら何でもよい。これを小孔に留めて目印にするが、飾り具は特に靴を後方から識別するのに役立つ。この二者で対象を絞り、最終的に「靴べらに付ける名前」を決め手とし、記載または貼付された名前により特定の１足を選び出すことができる。【００１０】  薄板状体の靴べら部は、靴べらとしての機能を持たせるためには足の踵の形状に近い形とするのが理想である。しかし、あまり立体形を忠実に出しすぎると上着やズボンのポケットに入れて携帯する場合にかさばり好ましくないため、緩やかに変形させるだけにとどめておく方が実用的である。形体の不完成度を補うために、材質を柔軟性に富んだ合成樹脂とすれば、履くとき踵の形に合うように変形するので便利である。柔軟性では劣るが、多少変形が可能な金属や竹でも実用上はそれほど問題はない。こうした使い勝手のほかにも、生産量とコストとの兼ね合い、加工のしやすさなどを考慮してどの材質を選択するかを決めればよい。【００１１】  靴べら部に連接するクリップ部は靴べら部の一平面を含みコの字形に形成されるが、これは一足の靴をまとめて挟む機能を持たせるためと、靴に装着したときに上方から見える面積が広くとれて名前などの文字の記載や貼付がしやすくなり識別に有効だからである。コの字形といっても曲折個所が必ずしも直角である必要はなく、靴の履き口を挟んだときに上部に文字用のスペースが確保できれば曲面であってもよい。【００１２】  本靴べらを靴の履き口に挟む場合にクリップ部を開きやすくするため、クリップ部の先端を外側に反らせて指に掛ける部分を設けると使い勝手がよい。【００１３】  靴べら本体に設ける小孔は部位、孔の大きさ、数は問わないが、例えば小孔に挿入する紐その他の飾り具が靴べらを識別する上で有効な部位に設けるのがよい。特に、靴を下駄箱に脱ぐ場合には靴の後方から見て靴を特定しなければならないので、飾り具は後方からも見える部位に付けるのが望ましい。【００１４】  上記の課題を解決するために請求項２に記載のアイデアは、靴べら部とクリップ部が異なる素材で成ることを特徴とする請求項１記載の靴識別機能付き靴べらである。【００１５】  靴べら部とクリップ部を異なる素材で構成する場合、クリップ部が必要とされる弾性を有していれば、靴べら部は合成樹脂、金属、竹の他に柔軟性があり踵にフィットできる皮革や腰の強い布、和紙なども利用可能である。皮革を使用すれば店名やキャラクター、シンボルマークなどをエンボス加工などして合成樹脂では醸しえない風情ある靴べらを提供することも可能となる。【００１６】  靴べら部とクリップ部の取り付けは、ハトメ、接着剤、嵌め込みなどしっかり留めることができれば手段は問わない。
【発明の効果】
【００１７】  多数の靴の中から特定の靴を短時間で識別し探し出すことができる。特に玄関で靴を脱ぎ個人宅を会場にして行なう通夜や葬儀、座敷形式の飲食店での会食などでは男性用の同じような外観・デザインの黒いビジネスシューズが並び探し出すのが困難な場合が発生するが、本靴べらを靴を脱ぐときに装着しておけば視覚的に自分の靴を容易に見分けることができる。同じ靴べらを多数の人が同時に使用した場合でも、「靴べらの色」「飾り具」「名前の記載や貼付」の三点から靴を特定でき、間違えたり間違えられたりすることを防止することができる。【００１８】  靴べらの素材を皮革や布、和紙などにすれば、エンボス加工や特殊な印刷も可能となり、物品の販売店やホテル等の拡販グッズとしての利用も期待できる。これらの素材は、当然のことながら少し力を加えれば変形が比較的自由にでき、当初から靴べらの形をしていない平面だけのものであっても使用時に変形可能で問題はない。【００１９】  靴べらを靴の履き口にセットした場合、靴べらの位置は靴の高さに比べて低くなるため、例えば多数の人が高さに余裕のない下駄箱に脱ぐような場合であっても天井につかえず、靴べらに付けた飾り具により靴の後部から靴の特定が可能となる。【００２０】  この靴べらは上述した通夜、葬儀、会食の席だけに使用を限るものではなく、個人用の携帯靴べらとして日常的にポケットなどに入れて使用することができ便利である。
【図面の簡単な説明】
【００２１】
【図１】  本願発明の靴べらを斜め上方から見た斜視図で、飾り具の装着は省略してある。
【図２】  同靴べらの正面図。
【図３】  同靴べらの右側面図。
【図４】  靴の履き口に同靴べらを装着した斜視図で、小孔に飾り具を付けた状態を示す。
【発明を実施するための形態】
【００２２】  上述した構成を持つ識別機能付き靴べらであり、この使用方法は以下のとおりである。理解しやすくするために、ここでは白い靴べらに自分の氏名を書き赤い飾り紐を付けたものを使用するとの想定で説明を行なうこととする。広い玄関で靴を脱ぎ食事会に参加する場合において、今回はたまたま５名が白い靴べらを使用していたとする。まず玄関で靴を脱ぐときに、靴べらのクリップ部２の先端の指掛け部５に指をかけて開き、左右両方の靴７をまとめて履き口を挟む。食事が済み大勢の人が玄関に出てきて靴を履くが、男性用の黒い革靴は一見してどれが自分の靴か見分けがつきにくい。そこで、まず白い靴べらを付けた靴を探す。その結果、白い靴べらを付けた靴は５足あったが、その中で小孔３に赤い紐の飾り具６を付けた靴は２足であった。そこで最後の切り札として、靴べらの名前表示部４に表示された名前を確認して、そのうちの１足が自分の靴であると識別できた。いずれも人間の視覚に頼る識別であるが、例えば多数の人がこの靴べらを使用した場合でも、この過程を経て行なえば靴の特定はほぼ完璧にしかも短時間でできる。靴が特定できた後は、靴べら部１を利用して自分の靴を安心して履くことができる。
【符号の説明】
【００２３】１・・・靴べら部
２・・・クリップ部
３・・・小孔
４・・・名前表示部
５・・・指掛け部
６・・・飾り具
７・・・靴
【図１】
2013070990.tif 000003
【図２】
2013070990.tif 000004
【図３】
2013070990.tif 000005
【図４】
2013070990.tif 000006